(57)【要約】【課題】利用者の下肢との干渉が起こりにくいテーブルを提供すること。【解決手段】テーブル１のコネクタボックス２０は、天板上面６と平行な面内において環状をなすように延びているとともに天板上面６に対して傾斜する側面を構成する側面部材２１と、側面２２ａに配された第一のコネクタ部２６と、側面のうち第一のコネクタ部２６が配された面２２ａとは別の方向に向けられた面２３ａに配された第二のコネクタ部２９と、天板部材５の板厚方向から見たときに側面部材２１の内側領域に少なくとも一部が位置するように側面部材２１に取り付け可能な上蓋部と、を有し、第一のコネクタ部２６及び第二のコネクタ部２９に接続されるとともに配線引き出し部１０を通じて天板部材５の下部へ延びる配線４０を収容可能な配線収容部Ｘ１が天板上面６と上蓋部との間に設けられている。【選択図】図４
2018068632.tif 000002
【特許請求の範囲】
【請求項１】
床面に接地可能な支持体と、
物品を載置可能な天板上面を有し前記支持体に支持された天板部材と、
前記天板上面に接するように前記天板部材に配されたコネクタボックスと、を備え、
前記コネクタボックスは、
ボックス本体と、
前記ボックス本体に設けられ、外側の異なる方向から接続可能な複数のコネクタ部と、
前記ボックス本体の内部に設けられ、前記コネクタ部に接続された配線を収容可能な配線収容部と、
配線収容部の上部に配され、前記ボックス本体に対して着脱可能な上蓋部と、を備え、
前記天板部材には、前記配線収容部と連通し、前記配線収容部に収容された配線を下方まで案内する配線貫通部が設けられている、
テーブル。
【請求項２】
前記ボックス本体は上面視で環状をなしている、請求項１に記載のテーブル。
【請求項３】
前記上蓋部は、
前記ボックス本体によって支持される環状の鍔部と、
前記鍔部の内縁から前記天板上面へ向かって延びる容器側面部と、
前記鍔部と前記天板上面との間に配され前記容器側面部に対して傾斜する物品載置面を構成する容器底面部と、
を有し、
前記配線収容部が前記天板上面と前記容器底面部との間に設けられている、
請求項１または請求項２に記載のテーブル。
【請求項４】
前記コネクタボックスは、前記天板部材の板厚方向から見たときの前記天板部材の中央を含む領域に配され、
前記配線貫通部は前記中央に配されている、
請求項１から請求項３のいずれか一項に記載のテーブル。
【請求項５】
前記コネクタ部は、
電源ケーブルを接続可能な電源コンセントと、
通信ケーブルを接続可能な情報コンセントと、
を含む、
請求項１から請求項４のいずれか一項に記載のテーブル。
【発明の詳細な説明】
【技術分野】
【０００１】
本発明は、テーブルに関する。
【背景技術】
【０００２】
従来、電源ケーブルや通信ケーブルを収納可能であり必要に応じてこれらのケーブルを引き出して利用することができるテーブルが知られている。たとえば特許文献１には、ケーブルを収納可能な収納部がテーブルの天板の中央部に設けられたテーブルが開示されている。
【先行技術文献】
【特許文献】
【０００３】
【特許文献１】特開２００８−１１９１４８号公報
【発明の概要】
【発明が解決しようとする課題】
【０００４】
しかしながら、特許文献１に記載のテーブルでは、ケーブルを収納するための収納部が天板の下面から下方へ突出しているので、収納部が利用者の下肢と干渉する可能性がある。
【０００５】
本発明は、上述した事情に鑑みてなされたものであって、利用者の下肢との干渉が起こりにくいテーブルを提供することを目的とする。
【課題を解決するための手段】
【０００６】
本発明の一態様は、床面に接地可能な支持体と、物品を載置可能な天板上面を有し前記支持体に支持された天板部材と、前記天板上面に接するように前記天板部材に配されたコネクタボックスと、を備え、前記コネクタボックスは、ボックス本体と、前記ボックス本体に設けられ、外側の異なる方向から接続可能な複数のコネクタ部と、前記ボックス本体の内部に設けられ、前記コネクタ部に接続された配線を収容可能な配線収容部と、配線収容部の上部に配され、前記ボックス本体に対して着脱可能な上蓋部と、を備え、前記天板部材には、前記配線収容部と連通し、前記配線収容部に収容された配線を下方まで案内する配線貫通部が設けられている、テーブルである。
【０００７】
このようなテーブルでは、コネクタボックスが天板上面に配され、コネクタボックスの上蓋部と天板上面との間に配線を収容するための配線収容部が設けられていることによって、天板下面から下方へ突出する構造物を減らすことができるので、テーブルの利用者の下肢とテーブルとの干渉を起こりにくくすることができる。さらに、複数のコネクタ部が、コネクタボックスの外側の異なる方向からプラグ等を接続できるようになっているので、テーブルの利用者は、複数のコネクタ部のうちテーブルの利用者の手の届きやすいコネクタ部を選んで利用することができる。
【０００８】
前記ボックス本体は、上面視で環状をなしていてもよい。
このようなテーブルでは、上面視で環状をなすボックス本体の内に配線を収容して上蓋部によってボックス本体を塞ぐことができるので、配線を隠すことができる。
【０００９】
前記上蓋部は、前記ボックス本体によって支持される環状の鍔部と、前記鍔部の内縁から前記天板上面へ向かって延びる容器側面部と、前記鍔部と前記天板上面との間に配され前記容器側面部に対して傾斜する物品載置面を構成する容器底面部と、を有し、前記配線収容部が前記天板上面と前記容器底面部との間に設けられていてもよい。
【００１０】
このようなテーブルでは、容器側面部と容器底面部とに囲まれた空間に物品を収容することができる。また、この空間に物品が収容された状態であっても、容器底面部と天板上面との間に配線収容部を確保することができる。
【００１１】
前記コネクタボックスは、前記天板部材の板厚方向から見たときの前記天板部材の中央を含む領域に配されていてもよく、前記配線貫通部は前記中央に配されていてもよい。
【００１２】
このようなテーブルでは、配線が天板部材の中央近傍において天板下面から下方へ向かって延びるように配線を配置することができるので、天板の周縁部の複数個所に位置する利用者の下肢に配線が接触しにくくなるように配線を配置することができる。
【００１３】
前記コネクタ部は、電源ケーブルを接続可能な電源コンセントと、通信ケーブルを接続可能な情報コンセントと、を含んでいてもよい。
【００１４】
このようなテーブルでは、利用者が電子機器を使用する場合に、各コネクタ部のうち利用者に最も近い位置にあるコネクタ部を利用して、電源及び通信回線を確保することができる。
【発明の効果】
【００１５】
本発明によれば、利用者の下肢との干渉が起こりにくいテーブルを提供することができる。
【図面の簡単な説明】
【００１６】
【図１】本発明の第１実施形態のテーブルを示す斜視図である。
【図２】同テーブルの側面図である。
【図３】図２のＡ−Ａ線における断面図である。
【図４】同テーブルのコネクタボックスの内部を示す平面図である。
【図５】本発明の第２実施形態のテーブルを示す斜視図である。
【図６】同実施形態のテーブルを図２のＡ−Ａ線と同様の断面で示す断面図である。
【発明を実施するための形態】
【００１７】
（第１実施形態）
本発明の第１実施形態について説明する。
図１は、本実施形態のテーブルを示す斜視図である。図２は、本実施形態のテーブルの側面図である。
図１及び図２に示すように、本実施形態のテーブル１は、床面１００に接地可能な支持体２と、支持体２に支持された天板部材５と、天板部材５に設けられた配線引き出し部１０と、天板部材５に配されたコネクタボックス２０と、を備えている。
【００１８】
支持体２は、床面１００に下端２ａが接触可能であり、床面１００から離れる方向に延びる構造部材である。支持体２の構成は、天板部材５が床面１００から所定の高さだけ離れて位置するように天板部材５を支持することができるものであれば、特に限定されない。支持体２は、テーブル１の利用者の邪魔にならない位置に配置される。なお、支持体２は、天板部材５を支持した状態で十分な耐荷重を有するものであれば、意匠性を考慮して様々な形状とされてよい。一例として、本実施形態のテーブル１の支持体２は、床面１００と平行に延びる底部筒部３と、底部筒部３の軸方向の両端において底部筒部３と直角に繋げられた支柱筒部４とを有している。
【００１９】
図３は、図２のＡ−Ａ線における断面図である。
図２及び図３に示すように、天板部材５は、物品を載置可能な天板上面６を有する板状部材である。天板部材５は、支持体２に連結されている。天板上面６にコネクタボックス２０が載置されている。天板部材５は、単板、積層板、あるいは集成材などの木質材料によって形成されている。また、天板部材５は、合板や、ＭＤＦ（medium density fiberboard）などの成型板によって形成されていてもよい。また、天板部材５は、鉄、アルミニウム、あるいはステンレス鋼などの金属からなっていてもよい。また、天板部材５の外面（天板上面６、天板部材５の下面７、天板部材５の側面８）は、塗装されていたり、木目シート等の化粧材が接着されていたりしてもよい。
天板部材５の板厚方向から見たときにおける天板部材５の中央Ｐには、配線引き出し部１０を取り付けるための貫通孔（配線貫通部）９が形成されている。
【００２０】
図２及び図３に示すように、配線引き出し部１０は、天板部材５の中央Ｐに形成された貫通孔９近傍に固定される固定部１１と、固定部１１に一端１２ａが接続され配線４０を収容可能な長尺の配線ガイド部１２とを有している。なお、本実施形態のテーブル１とともに使用される配線４０は、テーブル１の構成要素に含まれていなくてもよい。すなわち、配線４０は、テーブル１の使用態様に対応して、テーブル１の設置者が適宜選択して使用できる。
【００２１】
固定部１１は、配線ガイド部１２の一端１２ａが貫通孔９に向けられた状態となるように、配線引き出し部１０を天板部材５の下面７に固定する。
【００２２】
配線ガイド部１２は、電源ケーブル４１や通信ケーブル４２などによる複数の配線４０を内部に収容し、天板部材５の貫通孔９から下方へ向かって配線４０が延びるように配線４０を支持する。配線ガイド部１２は、支持体２の下端２ａから天板部材５の下面７までの距離よりも長い。配線ガイド部１２の下端１２ｂ（固定部１１に接続された一端１２ａとは反対側の端）には、配線４０を外部へ引き出すための開口が形成されている。配線ガイド部１２の下端から引き出される配線４０は、床面１００に設備されたコンセント（Floor receptacle）に接続される。
【００２３】
図４は、テーブル１のコネクタボックス２０の内部を示す平面図である。
図４に示すように、コネクタボックス２０は、天板上面６において、天板部材５の板厚方向から見たときに配線引き出し部１０を含む領域に配されている。また、図２に示すように、コネクタボックス２０は、天板上面６に接するように天板部材５にねじ止め等によって固定されている。
【００２４】
図２及び図３に示すように、コネクタボックス２０は、天板上面６に下端が接する側面部材（ボックス本体）２１と、側面部材２１に配された第一のコネクタ部２６及び第二のコネクタ部２９と、側面部材２１の上端に接するように側面部材２１に支持される上蓋部３０とを有している。
【００２５】
図３及び図４に示すように、側面部材２１は、天板上面６と平行な面内において環状をなすように延びているとともに天板上面６に対して傾斜する側面２１ａを構成する。たとえば、側面部材２１は、天板上面６に対して垂直な４つの平板部２２，２３，２４，２５によって四角筒状に形成されている。側面部材２１の外周面を構成する４つの平板部２２，２３，２４，２５の表面２２ａ，２３ａ，２４ａ，２５ａは、互いに異なる方向に向けられている。
【００２６】
図３に示すように、側面部材２１と天板上面６との接触部位（側面部材２１の下端）及び側面部材２１と上蓋部３０との接触部位（側面部材２１の上端）には、側面部材２１に対して垂直で天板上面６と平行に延びるリブが形成されている。側面部材２１に形成されたリブは、４つの平板部２２，２３，２４，２５に対して、各平板部２２，２３，２４，２５によって囲まれる空間の内部側へ向かうように直角に曲げられた形状をなしている。側面部材２１の下端のリブは、コネクタボックス２０を天板部材５にねじ止めするためのねじ穴が形成された板状をなしている。側面部材２１の上端のリブは、上蓋部３０の蓋本体３１の下面３５及び位置決め部材３６（後述）と接する。
【００２７】
図１および図３に示すように、第一のコネクタ部２６は、側面部材２１を構成する４つの平板部２２，２３，２４，２５のうちの第一の平板部２２に配されている。第一のコネクタ部２６は、商用電源を供給するための電源コンセント２７（Plug receptacle）を有している。電源コンセント２７には配線４０のうち電源ケーブル４１が接続されている。また、第一のコネクタ部２６は、直流電源を供給するための第二電源コンセント（例えばＵＳＢポート）を有していてもよい。また、第一のコネクタ部２６は、情報コンセント２８（Information outlet）として、たとえばイーサネット（登録商標）その他の通信用モジュラージャックを有している。情報コンセント２８には、配線４０のうち通信ケーブル４２が接続されている。
【００２８】
図２及び図４に示すように、第二のコネクタ部２９は、側面部材２１を構成する４つの平板部２２、２３、２４、２５のうち、第一の平板部２２とは異なる平板部に配されている。たとえば、第二のコネクタ部２９は、側面部材２１を構成する４つの平板部２２、２３、２４、２５のうち、第一の平板部２２と反対側に表面２３ａが向けられた第二の平板部２３に配されている。第二のコネクタ部２９は、第一のコネクタ部２６と同様の電源コンセント（Plug receptacle）を有している。なお、第二のコネクタ部２９は、上記の第二電源コンセント（例えばＵＳＢポート）と同様の第二電源コンセントや、上記の通信用モジュラージャックと同様の通信用モジュラージャック等を有していてもよい。
【００２９】
図１から図３までに示すように、上蓋部３０は、テーブル１上のコネクタボックス２０の上部を覆うように側面部材２１に対して着脱可能に取り付けられている。上蓋部３０は、蓋本体３１と、位置決め部材３６とを有している。
蓋本体３１は、天板部材５の板厚方向から見たときに側面部材２１の内側領域と重なる中央部３２と、天板部材５の板厚方向から見たときに中央部３２の外縁から側面部材２１の外側へ向かって広がる周縁部３３とを有している。蓋本体３１の中央部３２と周縁部３３とは、一続きの板材によって構成されている。たとえば、蓋本体３１は、天板部材５と同じ材質からなる。
【００３０】
図３に示すように、位置決め部材３６は、蓋本体３１の中央部３２から天板上面６へ向かって延びる突出部３７を有している。突出部３７は、側面部材２１の上部の内縁に接するように延びる板状あるいは突起状である。
【００３１】
蓋本体３１が側面部材２１によって支持されている状態において、蓋本体３１は、天板上面６から上方に離間した位置に配されている。このため、蓋本体３１の下面３５と、天板上面６との間には、空間がある。蓋本体３１の中央部３２と天板上面６との間は、天板部材５、側面部材２１、及び蓋本体３１によって囲まれ、配線４０を収容可能な配線収容部Ｘ１となっている。天板部材５の板厚方向から見たときに、配線引き出し部１０は、配線収容部Ｘ１が位置する範囲内の位置に配されている。
【００３２】
本実施形態のテーブル１の作用について説明する。
図３及び図４に示すように、本実施形態のテーブル１において、コネクタボックス２０の第一のコネクタ部２６及び第二のコネクタ部２９には、配線４０の例として、電源ケーブル４１及び通信ケーブル４２が接続されている。本実施形態では、電源ケーブル４１の例として、商用交流電源用のケーブルや、商用電源用のケーブルからＡＣアダプタを介して分岐するＵＳＢ給電用ケーブル等が、コネクタボックス２０に配されている。また、本実施形態では、通信ケーブル４２の例として、８芯８極のイーサネット（登録商標）用モジュラーケーブルが、コネクタボックス２０に配されている。
【００３３】
各コネクタ部２６、２９に接続された配線４０は、天板上面６に沿って配線引き出し部１０まで延び、図３に示すように、配線引き出し部１０を通じて天板部材５の下面７まで案内され、天板部材５の下面７から下方へ延びている。なお、各コネクタ部２６、２９から延びる複数の電源ケーブル４１を集合するタップ（パワーストリップ）やＵＳＢセルフパワーハブを使用することもできる。この場合、タップやハブは配線収容部Ｘ１に収容される。また、各コネクタ部２６、２９から延びる通信ケーブル４２を集合するスイッチングハブを使用することもできる。この場合、スイッチングハブは配線収容部Ｘ１に収容される。
【００３４】
本実施形態のテーブル１では、天板部材５の板厚方向から見たときに、コネクタボックス２０と重なる領域内に貫通孔９が形成されており、貫通孔９の下方に配線引き出し部１０が配されている。このため、各コネクタ部２６、２９から延びる配線４０は、天板部材５上ではコネクタボックス２０の外部に引き出されることなく、配線引き出し部１０を通じて天板部材５の下面７から下方へ引き出される。また、コネクタボックス２０の上蓋部３０によって、コネクタボックス２０内の配線４０が隠されているので、本実施形態のテーブル１は美観に優れる。さらに、本実施形態のテーブル１では、コネクタボックス２０が天板上面６に載置されており、コネクタボックス２０は天板部材５の下面７より下方へは突出していない。このため、テーブル１の利用者の下肢を収容する空間を天板部材５と床面１００との間に広く確保することができ、利用者の下肢とテーブル１との干渉が起こりにくくなっている。
【００３５】
本実施形態のテーブル１は、複数の利用者によって利用されることが想定されている。たとえば、本実施形態のテーブル１の第一の利用者が、天板部材５のうち第一のコネクタ部２６に近い位置に着席して、第一のコネクタ部２６の電源コンセント２７に情報機器等のＡＣアダプタを接続して、情報機器の充電をすることができる。また、必要に応じて、情報機器等に設けられたＬＡＮポートと第一のコネクタ部２６に配された情報コンセント２８とをＬＡＮケーブルを用いて接続することによって、情報機器をネットワークに接続することができる。
ここで、情報機器等を使用する第二の利用者がこのテーブル１を利用する場合には、第二の利用者は、第二のコネクタ部２９に近い位置に着席して、第二のコネクタ部２９の電源コンセント及び情報コンセントを使用して、第一の利用者と同様の条件で作業をすることができる。
このように、本実施形態のテーブル１は、複数人の利用者がいる場合であっても、コネクタ部への接続等を容易に行うことができる。
【００３６】
また、テーブル１の周囲から複数人でテーブル１を利用する場合、利用者はテーブル１の中央を向くように位置する。本実施形態では、配線４０を通すための貫通孔９が天板部材５の中央に配置され、貫通孔９よりも天板部材５の周縁側に位置するコネクタ部２６，２９から貫通孔９へと配線４０が延びている。このため、テーブル１の周囲からテーブル１を利用する利用者の手が届きやすい位置にコネクタ部２６，２９が配置されているとともに、テーブル１の周囲からテーブル１を利用する利用者の下肢が当たりにくい位置に配線４０が配置されている。さらに、配線４０のうちコネクタ部２６，２９から貫通孔９まで延びる部分は、配線収容部Ｘ１内に収容されて上蓋部３０によって隠されている。
その結果、本実施形態のテーブル１では、利用者の下肢が位置する天板部材５の下部の空間広さ（足元の快適性）と、テーブル１の使い勝手の良さとを美観良く両立させることができる。
【００３７】
また、天板部材５の板厚方向から見たときに側面部材２１の内側領域に上蓋部３０の中央部３２が位置し、中央部３２から外側へ上蓋部３０の周縁部３３が延びているので、第一のコネクタ部２６及び第二のコネクタ部２９の上部が上蓋部３０によって覆われている。このため、上蓋部３０上に液体がこぼれて液体が上蓋部３０から天板上面６へ流れても、液体は各コネクタ部２６、２９に接触しない。これにより、各コネクタ部２６、２９における漏電が起こりにくくなっている。また、これにより、上蓋部３０の上面３４に様々な物品を載置することができる。
【００３８】
（第２実施形態）
本発明の第２実施形態について説明する。
図５は、本実施形態のテーブルを示す斜視図である。図６は、本実施形態のテーブルを図２のＡ−Ａ線と同様の断面で示す断面図である。
【００３９】
図５及び図６に示すように、本実施形態のテーブル５０は、第１実施形態に開示された支持体２、天板部材５、及び配線引き出し部１０を有している。また、本実施形態のテーブル５０は、第１実施形態に開示された側面部材２１、第一のコネクタ部２６、及び第二のコネクタ部２９と、第１実施形態に開示された上蓋部３０とは構成が異なる上蓋部６０と、を備えている。また、本実施形態のテーブル５０は、側面部材２１を構成する４枚の平板部２２、２３、２４、２５のうち、第一のコネクタ部２６及び第二のコネクタ部２９が配された平板部２２、２３とは異なる平板部２４、２５に、第三のコネクタ部５１及び第四のコネクタ部５２を有している。第三のコネクタ部５１及び第四のコネクタ部５２は、第一のコネクタ部２６と同様の構成を有し、配線４０と接続可能である。側面部材２１、各コネクタ部２６、２９、５１、５２、及び上蓋部６０によって、本実施形態のコネクタボックス５３が構成されている。
【００４０】
コネクタボックス５３の各コネクタ部２６、２９、５１、５２には、配線４０の例として、電源ケーブル４１及び通信ケーブル４２が第１実施形態と同様に接続可能である。また、各コネクタ部２６、２９に接続された配線４０は、天板上面６に沿って配線引き出し部１０まで延び、配線引き出し部１０を通じて天板部材５の下面７まで案内され、天板部材５の下面７から下方へ延びている。
【００４１】
本実施形態のテーブル５０に設けられるコネクタボックス５３の上蓋部６０は、中央部近傍が天板部材５へ向かって窪んだ容器状に形成されている。上蓋部６０は、側面部材２１によって支持される環状の鍔部６１と、鍔部６１の内縁から天板上面６へ向かって延びる容器側面部６５と、鍔部６１と天板上面６との間に配された容器底面部７０と、を有している。
【００４２】
鍔部６１は、平板状をなす鍔本体６２と、鍔本体６２の板厚方向の一方の面に配された位置決め部材６３とを有している。
【００４３】
鍔本体６２は、天板部材５の板厚方向から見たときに側面部材２１の外縁に沿った輪郭形状を有し、側面部材２１の上端に接して側面部材２１に支持される。
【００４４】
位置決め部材６３は、鍔本体６２から天板上面６へ向かって延びる突出部６４を有している。突出部６４は、第１実施形態と同様に側面部材２１の上部の内縁に接するように延びる板状あるいは突起状である。
【００４５】
容器側面部６５は、平面視における鍔部６１の外縁の内側領域に位置し、鍔部６１に対して傾斜して天板上面６へ向かって延びる筒状である。たとえば、容器側面部６５は、天板上面６に対して垂直な４つの平板部６６、６７、６８、６９によって四角筒状に形成されている。
【００４６】
容器底面部７０は、容器側面部６５に対して傾斜する物品載置面７１を構成する。テーブル５０の天板上面６にコネクタボックス５３が設置された状態において、物品載置面７１は水平（天板上面６と平行）とされている。本実施形態では、容器側面部６５の内周面と物品載置面７１とのなす角は直角である。容器底面部７０の下面７２には、容器底面部７０と天板上面６との両方に接するスペーサ７３が取り付けられている。スペーサ７３は、上蓋部６０自身の重量及び物品載置面７１に載置される物品の重量が全て側面部材２１にかかるのを緩和するように、上蓋部６０及び物品による荷重を分散することができる。
【００４７】
鍔部６１が側面部材２１によって支持されている状態において、容器底面部７０の下面７２は、天板部材５の板厚方向において天板上面６から離れた位置にある。すなわち、鍔部６１が側面部材２１によって支持されている状態において、容器底面部７０と天板上面６との間には隙間がある。容器底面部７０と天板上面６との間の隙間は、配線４０を収容することができる配線収容部Ｘ２として使用することができる。
【００４８】
本実施形態のテーブル５０の作用について説明する。
本実施形態のテーブル５０は、上蓋部６０以外については第１実施形態に開示されたテーブル１と同様の作用及び効果を有する。
【００４９】
本実施形態のテーブル５０の上蓋部６０は、物品を収容することができる容器形状をなしている。さらに、コネクタボックス５３内の配線４０は、上蓋部６０の容器底面部７０と天板部材５の天板上面６との間の配線収容部Ｘ２を通じて、各コネクタ部２６、２９から配線引き出し部１０へと延びている。コネクタボックス５３の上蓋部６０によって、コネクタボックス５３に物品を収容することができ、さらにコネクタボックス５３内の配線４０が隠されるので、本実施形態のテーブル５０は美観に優れる。
【００５０】
上蓋部６０に収容することができる物品は特に限定されない。鍔部６１、容器側面部６５、及び容器底面部７０が互いに接続されている部位が水密にコーキングされていたり、上蓋部６０が一体成型されていたりする場合には、液体を含む物品を上蓋部６０に収容しても、配線収容部Ｘ２に液体が浸入しないので、漏電が起こりにくい。
【００５１】
また、本実施形態のテーブル５０は、コネクタボックス５３の側面部材２１を構成する４枚の平板部２２、２３、２４、２５の全てにコネクタ部２６、２９、５１、５２が設けられている。このため、本実施形態のテーブル５０は、周囲から複数人でテーブル５０を利用する場合に、テーブル５０の天板上面６の４辺のどこに利用者が位置していても、利用者の手が届きやすい位置に少なくとも１つのコネクタ部がある。さらに、本実施形態のテーブル５０も第１実施形態のテーブル１と同様に、天板部材５の中央の貫通孔９に配線４０が挿通されるので、テーブル５０の周囲からテーブル５０を利用する利用者の手が届きやすい位置にコネクタ部２６、２９、５１、５２が配置されているとともに、テーブル５０の周囲からテーブル５０を利用する利用者の下肢が当たりにくい位置に配線４０が配置されている。その結果、本実施形態のテーブル５０では、利用者の下肢が位置する天板部材５の下部の空間広さ（足元の快適性）と、テーブル５０の使い勝手の良さとを美観良く両立させることができる。
【００５２】
以上、本発明の実施形態について図面を参照して詳述したが、具体的な構成はこの実施形態に限られるものではなく、本発明の要旨を逸脱しない範囲の設計変更等も含まれる。
【００５３】
たとえば、第１実施形態に開示されたテーブル１は、第２実施形態に開示された上蓋部６０をさらに有し、第１実施形態に開示された上蓋部３０と第２実施形態に開示された上蓋部６０とから必要に応じていずれかを選択して利用できるようになっていてもよい。
【００５４】
また、側面部材２１は、四角筒状には限られない。たとえば、側面部材２１は、円筒状、三角筒状、八角筒状などであってもよい。また、天板部材５の板厚方向から見たときに側面部材２１が一続きとなっていれば、天板部材５の板厚方向から見たときの側面部材２１の輪郭線が自由曲線で構成されていてもよい。
【００５５】
また、側面部材２１を構成する平板部の表面は、天板部材５の板厚方向から見たときの天板部材５の各辺に向けられていてもよいし、天板部材５の板厚方向から見たときの天板部材５の角に向けられていてもよい。また、上記各実施形態のテーブル５０に対して椅子が固定された位置に配される場合には、各コネクタ部２６，２９がそれぞれ椅子に向かうように側面部材２１が形成されていてもよい。コネクタボックス５３の外観形状は、意匠性を考慮してどのような形状とされていてもよい。
【００５６】
また、天板部材５の外観形状は、意匠性を考慮してどのような形状とされていてもよい。
【符号の説明】
【００５７】
１，５０  テーブル
２  支持体
３  底部筒部
４  支柱筒部
５  天板部材
６  天板上面
７  天板部材の下面
８  天板部材の側面
９  貫通孔（配線貫通部）
１０  配線引き出し部
１１  固定部
１２  配線ガイド部
２０，５３  コネクタボックス
２１  側面部材（ボックス本体）
２２  平板部（第一の平板部）
２３  平板部（第二の平板部）
２４  平板部
２５  平板部
２６  第一のコネクタ部
２７  電源コンセント
２８  情報コンセント
２９  第二のコネクタ部
３０，６０  上蓋部
３１  蓋本体
３２  蓋本体の中央部（上蓋部の中央部）
３３  蓋本体の周縁部（上蓋部の周縁部）
３４  蓋本体の上面（上蓋部の上面）
３５  蓋本体の下面
３６，６３  位置決め部材
３７，６４  突出部
４０  配線
４１  電源ケーブル
４２  通信ケーブル
５１  第三のコネクタ部
５２  第四のコネクタ部
６１  鍔部
６２  鍔本体
６５  容器側面部
６６  平板部
６７  平板部
６８  平板部
６９  平板部
７０  容器底面部
７１  物品載置面
７２  容器底面部の下面
７３  スペーサ
１００  床面
【図１】
2018068632.tif 000003
【図２】
2018068632.tif 000004
【図３】
2018068632.tif 000005
【図４】
2018068632.tif 000006
【図５】
2018068632.tif 000007
【図６】
2018068632.tif 000008